(57)【特許請求の範囲】
【請求項１】
偏光板、及び、前記偏光板の一方の面に設けられた仮保護フィルムを備える積層フィルムであって、
前記積層フィルムは、前記積層フィルムの端面から一定幅の周辺領域と、前記周辺領域より内側の中央領域と、を備え、
前記周辺領域の面積をＳＰ、前記中央領域の面積をＳＣとしたときに、ＳＣ／（ＳＰ＋ＳＣ）≦０．７を満たすように前記一定幅が定められ、
前記中央領域はマークを有し、
前記マークは、前記積層フィルムを貫通する貫通孔、前記仮保護フィルムの表面に設けられた凹み、前記仮保護フィルムに設けられた貫通孔（ただし前記偏光板を貫通しない）、及び、前記仮保護フィルム内に設けられた染色部からなる群から選択される少なくとも１つであり、
前記周辺領域は前記マークを有さない、積層フィルム。
【請求項２】
前記マークの形状は、線状、十字、矢印、楕円、多角形からなる群から選択される少なくとも１つである、請求項１に記載の積層フィルム。
【請求項３】
前記積層フィルムの外形形状は、円形、又は、正多角形である、請求項１又は２に記載の積層フィルム。
【請求項４】
偏光板、及び、前記偏光板の一方の面に設けられた仮保護フィルムを備える積層フィルムにマークを設ける工程を有し、
前記積層フィルムは、前記積層フィルムの端面から一定幅の周辺領域と、前記周辺領域より内側の中央領域と、を備え、
前記周辺領域の面積をＳＰ、前記中央領域の面積をＳＣとしたときに、ＳＣ／（ＳＰ＋ＳＣ）≦０．７を満たすように前記一定幅が定められ、
前記マークを設ける工程では前記マークを前記中央領域内に設け、
前記マークは、前記積層フィルムを貫通する貫通孔、前記仮保護フィルムの表面に設けられた凹み、前記仮保護フィルムに設けられた貫通孔（ただし前記偏光板を貫通しない）、及び、前記仮保護フィルム内に設けられた染色部からなる群から選択される少なくとも１つであり、
前記周辺領域は前記マークを有さない、マーク付き積層フィルムの製造方法。
【請求項５】
前記マークを参照して画像表示パネルに対して請求項１〜３のいずれか１項に記載の積層フィルムの光軸を位置合わせする工程と、
位置合わせされた前記積層フィルムを前記画像表示パネルに貼り合わせる工程と、を備える、画像表示装置の製造方法。
【発明の詳細な説明】
【技術分野】
【０００１】
本発明は、積層フィルム、マーク付き積層フィルムの製造方法、及び、画像表示装置の製造方法に関する。
【背景技術】
【０００２】
従来より、偏光板、及び、偏光板の一方の面に仮保護フィルムが設けられた積層フィルムが知られている。液晶パネル等の画像表示パネルに、この積層フィルムを貼り合わせる際には、積層フィルムの偏光板の光軸（透過軸又は吸収軸）を、画像表示パネルに対して正確に位置合わせする必要がある。
【０００３】
そして、この位置合わせに資するために、偏光板の端部にマークを付したり、保護フィルムの端部にマークを付したりすることが知られている。
【先行技術文献】
【特許文献】
【０００４】
【特許文献１】ＷＯ２００７／１０８２４４号公報
【特許文献２】特開２００５−２６６２８４号公報
【発明の概要】
【発明が解決しようとする課題】
【０００５】
しかしながら、従来の方法では、画像表示パネルと偏光板との位置合わせの精度が十分でなかった。
【０００６】
本発明は上記課題に鑑みてなされたものであり、画像表示パネルと偏光板との位置合わせの精度をより向上させることができる、積層フィルム、マーク付き積層フィルムの製造方法、及び、画像表示装置の製造方法を提供することを目的とする。
【課題を解決するための手段】
【０００７】
本発明に係る積層フィルムは、偏光板、及び、前記偏光板の一方の面に設けられた仮保護フィルムを備える。前記積層フィルムは、前記積層フィルムの端面から一定幅の周辺領域と、前記周辺領域より内側の中央領域と、を備える。前記周辺領域の面積をＳＰ、前記中央領域の面積をＳＣとしたときに、ＳＣ／（ＳＰ＋ＳＣ）≦０．７を満たすように前記一定幅が定められる。前記中央領域はマークを有する。
【０００８】
本発明によれば、マークが中央領域に設けられているため、偏光板を画像表示パネルに貼りつける際に偏光板の周辺領域がカールしても、カールの影響を受けることなくマークを基準に高精度に偏光板と画像表示パネルとの位置合わせが可能となる。
【０００９】
ここで、前記マークは、前記積層フィルムを貫通する貫通孔であることができる。
【００１０】
また、前記マークは、前記仮保護フィルムの表面に設けられた凹み、前記仮保護フィルムに設けられた貫通孔、前記仮保護フィルムに設けられた染色部、及び、前記仮保護フィルムの表面に設けられた着色層からなる群から選択される少なくとも１つであることができる。
【００１１】
また、前記マークの形状は、線状、十字、矢印、楕円、多角形からなる群から選択される少なくとも１つであることができる。
【００１２】
また、前記積層フィルムの外形形状は、円形、又は、正多角形であることができる。
【００１３】
本発明に係るマーク付き積層フィルムの製造方法は、偏光板、及び、前記偏光板の一方の面に設けられた仮保護フィルムを備える積層フィルムにマークを設ける工程を有する。
前記積層フィルムは、前記積層フィルムの端面から一定幅の周辺領域と、前記周辺領域より内側の中央領域と、を備える。前記周辺領域の面積をＳＰ、前記中央領域の面積をＳＣとしたときに、ＳＣ／（ＳＰ＋ＳＣ）≦０．７を満たすように前記一定幅が定められ、
前記マークを設ける工程では前記マークを前記中央領域内に設ける。
【００１４】
本発明に係る画像表示装置の製造方法は、前記マークを参照して画像表示パネルに対して上記の積層フィルムの光軸を位置合わせする工程と、
位置合わせされた前記積層フィルムを前記画像表示パネルに貼り合わせる工程と、を備える。
【発明の効果】
【００１５】
本発明によれば、画像表示パネルと偏光板との位置合わせの精度をより向上させることができる、積層フィルム、及び、画像表示装置の製造方法が提供される。
【図面の簡単な説明】
【００１６】
【図１】図１の（ａ）は一実施形態に係る積層フィルムの断面図であり、図１の（ｂ）は（ａ）の上面図である。
【図２】図２の（ａ）及び（ｂ）は、別の実施形態に係る積層フィルムの断面図である。
【図３】図３の（ａ）〜（ｅ）は、それぞれ積層フィルムのマークの形状の他の一例を表す上面図である。
【図４】図４の（ａ）〜（ｅ）は、それぞれ他の実施形態に係る積層フィルムの上面図である。
【図５】図５の（ａ）は画像表示装置の上面図、図５の（ｂ）は画像表示装置の概略断面図である。
【図６】図６は比較例及び参考例に係る積層フィルムの概略上面図である。
【発明を実施するための形態】
【００１７】
以下、本発明の好適な実施形態について、図面を参照しながら詳細に説明する。なお、各図において同一部分又は相当部分には同一符号を付し、重複する説明は省略する。また、各図面の寸法比率は必ずしも実際のものとは一致せず、特に、厚さに関しては誇張して描いてある。
【００１８】
＜積層フィルム＞
【００１９】
図１（ａ）に示されているとおり、本実施形態にかかる積層フィルム１００は、偏光板１０、偏光板１０の一方の面に粘着剤層７により貼り合わされた仮保護フィルム８、及び、偏光板１０の他方の面に粘着剤層７により貼り合わされたセパレートフィルム９を有する。
【００２０】
（偏光板）
偏光板１０は、偏光子２、及び、偏光子２の両面に接着剤層５により貼り合わされた保護フィルム３を有する。
【００２１】
（偏光子）
偏光子２の材料としては、従来から偏光板の製造に使用されている公知の材料を用いることができ、例えば、ポリビニルアルコール系樹脂、ポリ酢酸ビニル樹脂、エチレン／酢酸ビニル（ＥＶＡ）樹脂、ポリアミド樹脂、ポリエステル系樹脂等が挙げられる。なかでもポリビニルアルコール系樹脂が好ましい。通常、偏光子２の製造の開始材料としては、例えば厚さが５〜１００μｍ、好ましくは１０〜８０μｍのポリビニルアルコール系樹脂フィルムの未延伸フィルムを用いる。偏光子２は、この未延伸フィルムを、染色処理、ホウ酸処理、延伸処理等して得られる。
【００２２】
偏光子２の厚さは、３〜２０μｍであることが好ましく、５〜１８μｍであることがより好ましく、７〜１６μｍであることが更に好ましい。
【００２３】
（保護フィルム）
保護フィルム３は、偏光子２の主面や端部の割れや傷つきを防止するフィルムである。
【００２４】
保護フィルム３は、偏光板の分野で知られている各種の透明樹脂フィルムで構成することが好ましい。例えば、トリアセチルセルロースを代表例とするセルロース系樹脂、ポリプロピレン系樹脂を代表例とするポリオレフィン系樹脂、ノルボルネン系樹脂を代表例とする環状オレフィン系樹脂、ポリメチルメタクリレート系樹脂を代表例とするアクリル系樹脂、ポリエチレンテレフタレート系樹脂を代表例とするポリエステル系樹脂等が挙げられる。なかでも、セルロース系樹脂が代表的である。
【００２５】
ここで、保護フィルムが「透明」であるとは、ＪＩＳ  Ｋ  ７３６１に準拠して測定される全光線透過率が７０％以上であることをいう。
【００２６】
保護フィルム３，３は、互いに同種の材料からなっていてもよいし、別種の材料からなっていてもよい。
【００２７】
保護フィルム３としては、光学機能を有しないフィルムであってもよいし、位相差フィルムや輝度向上フィルムといった光学機能を併せもつフィルムであってもよい。
【００２８】
保護フィルム３の厚さは、５〜３０μｍであることが好ましく、７〜２７μｍであることがより好ましく、９〜２５μｍであることが更に好ましい。
【００２９】
（接着剤層）
接着剤層５の接着剤としては、従来から偏光板の製造に使用されている各種の接着剤を使用することができる。例えば、耐候性や屈折率、カチオン重合性等の観点から、分子内に芳香環を含まないエポキシ樹脂が好ましい。また、活性エネルギー線（紫外線又は熱線）の照射によって硬化するものが好ましい。
【００３０】
エポキシ樹脂としては、例えば水素化エポキシ樹脂、脂環式エポキシ樹脂、脂肪族エポキシ樹脂等が好ましい。エポキシ樹脂に対して、重合開始剤（例えば紫外線照射で重合させるための光カチオン重合開始剤、熱線照射によって重合させるための熱カチオン重合開始剤）や、更に他の添加剤（増感剤等）を添加して、塗布用のエポキシ樹脂組成物を調製して使用することができる。
【００３１】
また、接着剤としては、アクリルアミド、アクリレート、ウレタンアクリレート、エポキシアクリレート等のアクリル系樹脂や、ポリビニルアルコール系の水系接着剤を使用することもできる。
【００３２】
偏光板１０の厚さは、２０〜１００μｍであることが好ましく、２５〜９０μｍであることがより好ましく、３０〜８０μｍであることが更に好ましい。
【００３３】
偏光板１０は、保護フィルム３上に積層される他の光学層を更に含むことができる。他の光学層としては、ある種の偏光を透過し、それと逆の性質を示す偏光を反射する反射型偏光フィルム；表面に凹凸形状を有する防眩機能付フィルム；表面反射防止機能付フィルム；表面に反射機能を有する反射フィルム；反射機能と透過機能とを併せ持つ半透過反射フィルム；視野角補償フィルム等が挙げられる。
【００３４】
（仮保護フィルム）
仮保護フィルム８は、粘着剤層７と共に後工程で偏光板１０から剥離することが可能なフィルムであり、画像表示素子への貼付時などにおいて積層フィルム１００をハンドリングする際に、保護フィルム３の表面を損傷、摩損等から保護するためのフィルムである。仮保護フィルム８は、保護フィルム３に積層された後、偏光板１０の使用前まで保護フィルム３に貼合されたままとされることができる。偏光板１０の使用前に、仮保護フィルム８を保護フィルム３から剥離する際には、粘着剤層７は仮保護フィルム８側に付着した状態で偏光板１０側から仮保護フィルム８と共に剥離される。
【００３５】
仮保護フィルム８の材料としては、ポリエチレンテレフタレート、ポリエチレンナフタレート、ポリエチレンイソフタレート、ポリブチレンテレフタレート等のポリエステル系樹脂が好ましく、保護フィルム３と同様のものを用いてもよい。必要な強度を有しかつ光学適性を有するものであれば、他のプラスチックスフィルム、たとえば、ポリオレフィン系フィルム、ポリアセテートフィルム、ポリカーボネートフィルム、ポリフェニレンサルファイドフィルム、ポリアミドフィルム、ポリ塩化ビニルフィルム、エチレン−酢酸ビニル共重合体フィルム、各種液晶ポリマーフィルム等が使用可能である。
【００３６】
仮保護フィルム８の厚さは、５〜７０μｍであることが好ましく、１０〜６０μｍであることがより好ましく、１５〜５０μｍであることが更に好ましい。
【００３７】
（粘着剤層）
粘着剤層７は、アクリル系樹脂や、シリコーン系樹脂、ポリエステル、ポリウレタン、ポリエーテル等で構成することができる。
【００３８】
粘着剤層７の厚さは、２〜４０μｍであることが好ましく、４〜２５μｍであることがより好ましい。
【００３９】
粘着剤層７を設ける方法としては、例えば、仮保護フィルム８上にアクリル系の一液型または二液型の粘着剤、ゴム系粘着剤、シリコーン系粘着剤をはじめとする種々の粘着剤等で粘着剤層７を形成した後に保護フィルム３に積層する方法がある。通常は、仮保護フィルムに粘着剤層を設け、粘着剤層にさらに剥離フィルムを設けた仮保護フィルム積層体を一旦ロール状に巻き取ったものを準備し、保護フィルム３と貼合する直前に仮保護フィルム積層体から当該剥離フィルムを剥がして、保護フィルム３に貼り合わせる。
また、偏光板１０の保護フィルム３に上記樹脂や任意の添加成分を含む溶液を塗布して粘着剤層７を設け、その後に、仮保護フィルム８を貼合せてもよい。
【００４０】
（セパレートフィルム）
セパレートフィルム９は、粘着剤層７の保護や異物の付着防止等を目的として貼着される剥離可能なフィルムであって、積層フィルム１００の使用時に剥がされて粘着剤層７が露出される。セパレートフィルム９は、例えばポリエチレンのようなポリエチレン系樹脂、ポリプロピレンのようなポリプロピレン系樹脂、ポリエチレンテレフタレートのようなポリエステル系樹脂等で構成することができる。中でも、ポリエチレンテレフタレートの延伸フィルムが好ましい。
【００４１】
セパレートフィルム９が積層されている粘着剤層７は、偏光板１０を他の物品（例えば液晶セルやタッチパネル）に貼着させるときに機能する層である。粘着剤層７の材料としては、仮保護フィルム８を積層する場合のものと同様の材料を用いることができる。
【００４２】
セパレートフィルム９は、積層フィルム１００の使用時に容易に剥がすことができるように、粘着剤層７に接する面にシリコーン樹脂等による離型処理を施してもよい。セパレートフィルム９を剥がすと、粘着剤層７は偏光板１０側に残る。
【００４３】
セパレートフィルム９の厚さは、５〜７０μｍであることが好ましく、１０〜６０μｍであることがより好ましく、１５〜５０μｍであることが更に好ましい。
【００４４】
図１の（ａ）に示すように、積層フィルム１００の外形形状は、積層方向から見て、円形である。このような形状は、幅広のフィルムから、レーザーや刃により切り出すことにより容易に得られる。
【００４５】
（マーク）
積層フィルム１００は、積層フィルム１００の厚み方向から見て、積層フィルム１００の端面から一定幅の周辺領域１００Ｐと、周辺領域１００Ｐより内側の中央領域１００Ｃと、を備える。ここで、周辺領域１００Ｐの面積をＳＰ、中央領域１００Ｃの面積をＳＣとしたときに、ＳＣ／（ＳＰ＋ＳＣ）≦０．７を満たすように一定幅が定められる。ここで、ＳＣ／（ＳＰ＋ＳＣ）≦０．６が好ましく、ＳＣ／（ＳＰ＋ＳＣ）≦０．５がより好ましく、ＳＣ／（ＳＰ＋ＳＣ）≦０．４がさらに好ましく、ＳＣ／（ＳＰ＋ＳＣ）≦０．３が特に好ましい。
【００４６】
本実施形態では、この中央領域１００Ｃ内に、マークＭを有する。具体的には、マークＭは、仮保護フィルム８の表面に設けられた着色層２０である。着色層２０は、たとえば、インクジェットプリンタ等の印刷装置により形成できる。着色層は、樹脂及び顔料や染料等の着色成分を含有することができる。
【００４７】
マークＭは、着色層２０に限定されない。マークＭの他の態様を、図２の（ａ）及び（ｂ）に示す。図２の（ａ）では、マークＭは、仮保護フィルム８に設けられた凹み２１である。このような凹み２１は、レーザーや刃等により容易に形成できる。図２の（ａ）では凹み２１の深さは粘着剤層７が露出しない深さであるが、粘着剤層７が露出するすなわち貫通孔でもよく、図２の（ａ）に点線で示すように、仮保護フィルム８及び粘着剤層７を貫通して保護フィルム３が露出するように、仮保護フィルム８及び粘着剤層７を貫通する貫通孔でもよい。また、図２の（ｂ）では、マークＭは、積層フィルム１００全体を貫通する貫通孔２２である。マークＭは、これ以外にも、たとえば、仮保護フィルム８に設けられた染色部でもよい。
【００４８】
マークＭの形状は、図１の（ａ）では、一方の線の長さが他方の線の長さよりも長い十字である。マークＭの形状は、十字に限定されない。たとえば、図３の（ａ）に示す線状であってもよいし、図３の（ｂ）に示すように矢印形状でもよいし、図３の（ｃ）に示すように楕円でもよいし、図３の（ｄ）に示すように三角形（正三角形を除くことが好ましい）でもよいし、図３の（ｅ）に示すように菱形（正方形を除くことが好ましい）でもよい。これ以外の多角形（正多角形を除くことが好ましい）でもよい。なお、各多角形は正多角形でないことが好適であるが、正多角形である場合にはそれを複数設ければよい。
【００４９】
マークＭの長軸（もっとも長い方向の軸）の長さは、たとえば０．１〜１０ｍｍとすることができる。マークＭの短軸（もっとも短い方向の軸）の長さは、たとえば０．１〜７ｍｍとすることができる。
【００５０】
マークＭは、偏光板１０の偏光子２の光吸収軸又は光透過軸（光軸）の方向を表す。たとえば、マークＭの長軸の方向を、光吸収軸又は光透過軸（たとえば、図１の（ｂ）及び図４の（ａ）〜（ｅ）の上下方向）に平行とするなど、マークＭの長軸の方向が、偏光子の光軸と一定の角度の関係となるようにマークＭを設けることにより、マークＭの向き（長軸の向き等）に基づいて偏光子の光軸の位置を容易に判断できる。さらに、マークＭを、たとえばマークＭの重心が積層フィルム１００の重心位置と重なるように設けることなど、マークＭの位置を積層フィルムに対して一定の位置に設けることにより、マークＭの位置を検出することにより、積層フィルム（偏光板１０）の面内方向における位置を検出することができる。
【００５１】
積層フィルム１００のマークＭのさらに他の一例を説明する。図４の（ａ）に示す積層フィルム１００は、中央部分に断面円形の貫通孔ｈが設けられており、マークＭは、貫通孔ｈの両側の縁に２箇所設けられており、図３の（ａ）の線の両端のみが配置された形態である。
【００５２】
次に、積層フィルム１００の外形形状の他の例を説明する。積層フィルム１００の外形形状は、正方形（図４の（ｂ）参照）、正六角形（図４の（ｃ）参照）、及び、正八角形（図４の（ｄ）参照）のような正多角形でもよいし、樽型（図４の（ｅ）参照）のような形状でもよい。たとえば、正多角形や円形であると、外形形状から光軸の向きを判明できないので特に本発明の効果が高い。
【００５３】
いずれの態様にしても、マークＭは、中央領域１００Ｃ内に設けられている。マークＭの少なくとも一部が中央領域１００Ｃ内に設けられていれば良いが、マークＭのすべてが中央領域１００Ｃ内に存在することが好適である。
【００５４】
ここで、積層フィルム１００から、セパレートフィルム９を剥離した後の積層フィルムを積層フィルム９０と呼ぶ。
【００５５】
＜画像表示装置の製造方法＞
続いて、図５の（ａ）及び（ｂ）を参照して、上述の積層フィルム１００を用いた画像表示装置の製造方法について説明する。
【００５６】
まず、画像表示パネル５０を用意する。偏光板の貼付を必要とする画像表示パネルの例は、液晶パネルであるが、有機ＥＬパネルなどでもよい。
【００５７】
次に、画像表示パネル５０の表面に、上述の積層フィルム１００からセパレートフィルム９を剥離した残りの積層フィルム９０を貼りつける。この時、偏光板１０の光軸を、所定の方向にし、かつ、画像表示パネル５０の表面の所定の位置に、積層フィルム９０を貼りつける必要がある。
【００５８】
本実施形態では、画像表示パネル５０の表面に、好適な光軸の向きを示す一対のマークＬＣＭ１が設けられ、画像表示パネル５０の裏面に、好適な光軸の向きを示す一対のマークＬＣＭ２が設けられている。
【００５９】
本実施形態では、まず、積層フィルム１００からセパレートフィルム９を剥離して積層フィルム９０を形成する。次に、マークＭの形状に基づいて、その積層フィルム９０の回転方向の向きを、所定の方向に合わせる。具体的には、たとえば、マークＭの長軸方向と、画像表示パネルの一対のマークＬＣＭ１同士を結ぶ方向とが平行となるように、積層フィルム９０を回転させればよい。さらに、マークＭの位置に基づいて、積層フィルム９０の面内方向の位置を、画像表示パネル５０に対して所定の位置に合わせる。具体的には、たとえば、マークＭの位置が、一対のマークＬＣＭ１の中間に来るように、積層フィルム９０を移動すればよい。このようにして、積層フィルム９０の回転位置、及び、面内位置を、画像表示パネル５０に対して合わせた後に、この積層フィルム９０を、粘着剤層７を介して画像表示パネル５０の表面に貼りつける。
【００６０】
このような位置合わせ工程を含む貼りつけ工程は、マークを撮影するカメラと、撮影画像に基づいてマークの形状や位置を認識する画像処理装置と、処理結果に基づいて必要回転量や必要移動量を算出する移動制御装置と、積層フィルム９０を移動させるロボットハンドと、を含む位置合わせ装置により実現できる。画像処理及び移動制御は、コンピュータによる処理であることができる。
【００６１】
続いて、別の積層フィルム１００からセパレートフィルム９を剥離して別の積層フィルム９０を形成し、その積層フィルム９０のマークＭと、画像表示パネル５０の裏面側の一対のマークＬＣＭ２とに基づいて、同様にして、積層フィルム９０を画像表示パネル５０の裏面に貼りつける。
【００６２】
これにより、画像表示パネル５０に貼りつけられた一対の積層フィルム９０、９０の光軸及び位置は、所望の位置に合わせられる。たとえば、一対の積層フィルムの偏光子の光軸を互いに直交するように配置できる。
【００６３】
＜作用＞
偏光子を含む積層フィルム１００（９０）は、周辺領域がカールしやすい。したがって、積層フィルム１００（９０）の周辺領域にマークＭが設けられていると、カールの影響により、マークＭの位置にずれが生じて画像表示パネルとの位置合わせ精度が低下する場合がある。
【００６４】
しかしながら、本実施形態によれば、積層フィルム１００（９０）の中央領域１００ＣにマークＭが設けられている。したがって、カメラや目視等でマークＭを参照する際に、マークＭの位置の認識のずれを少なくすることができる。したがって、積層フィルム９０の回転位置や、面内方向における位置を、画像表示パネル５０に対して高精度に合わせすることができる。
【００６５】
周辺領域がカールしやすい積層フィルム１００の層構成の例は、積層フィルムの厚さが薄く（特に２００μｍ以下）剛性が低い場合、保護フィルム３，３がそれぞれ別種の材料（例えば、一方がトリアセチルセルロースなどのセルロース系樹脂、他方が環状オレフィン系樹脂）である場合、いずれか一方の保護フィルム３を有さない場合、及び、積層フィルム１００を構成するいずれかの層の透湿度が高い（例えば、２５０ｇ/ｍ２・２４ｈ以上）場合である。また、積層フィルム１００の外形形状が鋭角の角部を有する場合などにも、周辺領域がカールしやすい。この様な層構成及び／又は外形形状を有する積層フィルム１００は、周辺領域にカールが生じやすいため、特に本発明の効果が高い。
【００６６】
以上、本発明の好適な実施形態について説明したが、本発明は上記実施形態に何ら限定されるものではない。例えば、上記実施形態では、偏光板１０の仮保護フィルム８とは反対側に、粘着剤層７及びセパレートフィルム９が設けられているが、これらが無くても実施可能である。たとえば、画像表示パネルへの貼付時に、画像表示パネル側に粘着剤を設け、積層フィルム１００の保護フィルムを直接当該粘着剤に貼りつける場合などもある。
【００６７】
また、仮保護フィルム８と保護フィルム３との間に粘着剤層７を有さないことも可能である。
【実施例】
【００６８】
（比較例１〜３、参考例１、２）
図６に示すように、１２０ｍｍ×７０ｍｍの矩形の積層フィルム１００を用意した。積層フィルム１００は総厚みが２７０μｍであり以下のような構成を有していた。
【００６９】
仮保護フィルム８（ポリエチレンテレフタレート）／粘着剤層７（アクリル系樹脂）／保護フィルム３（トリアセチルセルロース）／接着剤層５（エポキシ樹脂）／偏光子２（ヨウ素染色延伸ＰＶＡ）／接着剤層５（エポキシ樹脂）／保護フィルム３（トリアセチルセルロース）／粘着剤層７（アクリル系樹脂）／セパレートフィルム９（ポリエチレンテレフタレート）
【００７０】
この積層フィルム１００は、平面上に載置した時に、カールにより端部が平面から浮き上がり、最も浮き上がったところでは、平面から６ｍｍ程度（長辺に対して５％程度）浮き上がっていた。
【００７１】
積層フィルム１００は、仮保護フィルム８の表面に十字のマークＭ（縦棒の長さ０．５ｍｍ及び横棒の長さ０．５ｍｍ、縦棒及び横棒の幅０．０５ｍｍ）を備える。マークＭは、黒インキにより形成された樹脂層である。
【００７２】
十字のマークＭの縦棒が積層フィルム１００の短辺と平行に、横棒が積層フィルム１００の長辺と平行になるようにマークＭを配置した。
【００７３】
比較例１では、ＳＣ／（ＳＰ＋ＳＣ）＝０．９５となるように中央領域１００Ｃ及び周辺領域１００Ｐを設定し、十字のマークＭの一部が中央領域１００Ｃ内に存在するようにマークＭの位置を定めた。具体的には、中央領域１００Ｃと周辺領域１００Ｐとの境界線Ｂが、十字のマークＭの縦棒及び横棒の中心をそれぞれ通るように配置した。周辺領域１００Ｐの幅ａは１ｍｍであった。
【００７４】
比較例２、３、参考例１、２では、それぞれ、ＳＣ／（ＳＰ＋ＳＣ）を、０．８６、０．７８、０．７０、０．６３とする以外は、比較例１と同様とした。周辺領域１００Ｐの幅ａは、それぞれ、３ｍｍ、５ｍｍ、７ｍｍ、９ｍｍであった。
【００７５】
平板上に載置した各比較例及び参考例の積層フィルムを、上方からカメラで撮影し、十字のマークＭの形状を正しく認識できるか否かを確認した。結果を表１に示す。
【００７６】
【表１】
0006475773.tif 000002
【００７７】
十字のマークＭがひずみ無く認識できた場合を○、十字のマークＭがややひずんで認識された場合には△を、十字のマークが大きくひずんで認識された場合を×で示す。
ＳＣ／（ＳＰ＋ＳＣ）が０．７以下となる中央領域１００Ｃにマークがあると、マークが高い精度で認識できることが確認された。
【符号の説明】
【００７８】
１０…偏光板、２０…着色層、２１…凹み、２２…貫通孔、９０、１００…積層フィルム、８…仮保護フィルム、１００Ｐ…周辺領域、１００Ｃ…中央領域、Ｍ…マーク。
【図１】
0006475773.tif 000003
【図２】
0006475773.tif 000004
【図３】
0006475773.tif 000005
【図４】
0006475773.tif 000006
【図５】
0006475773.tif 000007
【図６】
0006475773.tif 000008